(57)【特許請求の範囲】
【請求項１】
音楽データを記録する記録媒体が設けられ、カメラ本体に設けられた操作入力部を操作することにより、前記記録媒体に記録された音楽データを再生する音楽再生機能付きデジタルカメラにおいて、
音楽再生時の操作名を意味する複数の音声データを記録する記録手段と、音楽再生時に前記操作入力部が操作された場合、当該操作入力部に対して割り当てられた音声データを前記記録手段から呼び出すとともに、その呼び出した音声データを再生音楽にミキシングして操作ガイダンスとして出力する音声データ出力手段と、出力された操作ガイダンスの内容が実行されたか途中でキャンセルされたかの履歴を記録する履歴記録手段とを備え、
前記音声データ出力手段から前記操作ガイダンスが出力された後、前記操作入力部がもう一度操作されたときに実際の操作を実行する一方、
前記履歴記録手段の記録に基づいてキャンセル率が所定値以下と判断したときは、前記操作入力部への最初の操作で操作ガイダンスの出力を中止して実際の操作を実行することを特徴とする音楽再生機能付きデジタルカメラ。
【請求項２】
請求項１に記載の音楽再生機能付きデジタルカメラにおいて、
前記操作ガイダンスが出力された後、所定時間内に前記操作入力部がもう一度操作されないときは、出力された操作ガイダンスの内容がキャンセルされたと判断することを特徴とする音楽再生機能付きデジタルカメラ。
【請求項３】
請求項１に記載の音楽再生機能付きデジタルカメラにおいて、
前記操作入力部が操作された後にその操作をキャンセルさせるキャンセル部材をさらに有し、
前記操作入力部が操作された後、所定時間内に前記キャンセル部材が操作されたときには前記キャンセル率を判断し、該キャンセル率が所定値以上と判断したときは操作ガイダンスの出力を実行する動作モードに変更することを特徴とする音楽再生機能付きデジタルカメラ。
【請求項４】
請求項１に記載の音楽再生機能付きデジタルカメラにおいて、
前記記録手段は、カメラ本体に内蔵のメモリおよびカメラ本体から着脱自在なメモリカードの少なくとも１つであることを特徴とする音楽再生機能付きデジタルカメラ。
【請求項５】
請求項１又は４に記載の音楽再生機能付きデジタルカメラにおいて、  前記記録手段に記録された音声データは、書き換え可能であることを特徴とする音楽再生機能付きデジタルカメラ。
【発明の詳細な説明】
【０００１】
【発明の属する技術分野】
本発明はデジタルカメラに係り、特に、記録媒体に記録された音楽データを再生することができる音楽再生機能付きデジタルカメラに関する。
【０００２】
【従来技術】
メモリカードをカメラ本体に装着し、メモリカードに記録された音楽データを再生する機能を備えたデジタルカメラが知られている。このようなデジタルカメラにおいては、選曲や音量調節のための音楽データ再生用の操作ボタンを新たに設けると、ボタンの数が多くなりすぎてデザイン上好ましくなく、またカメラ操作が煩雑となる。
【０００３】
そこで、例えば特開２００１−８１５１号公報には、カメラ操作用のボタンを音楽再生用の操作ボタンとして兼用し、音楽データ再生用の操作ボタンを特に設けなくて済むようにしたデジタルカメラが提案されている。
【０００４】
【発明が解決しようとする課題】
しかしながら、上記公報で提案されたデジタルカメラでは、カメラ操作用に設けられた各ボタンが音楽再生時にはどのような機能を備えているのかを、ユーザが憶えなければならず、操作性はあまりよくない。
【０００５】
また、音楽再生時の機能を各ボタン毎に文字により表示しても、小型のデジタルカメラでは文字が小さく、表示内容の確認が面倒である。特に、音楽再生機能付きデジタルカメラを鞄の中や服のポケットの中に入れたままで、ボタン操作を行いたいという要望があり、このような要望にも応える必要がある。
【０００６】
本発明の課題は、音楽再生時の操作性および利便性に優れた音楽再生機能付きデジタルカメラを提供することにある。
【０００７】
【課題を解決するための手段】
上記課題を解決するために、請求項１に記載の発明は、音楽データを記録する記録媒体が設けられ、カメラ本体に設けられた操作入力部を操作することにより、前記記録媒体に記録された音楽データを再生する音楽再生機能付きデジタルカメラにおいて、音楽再生時の操作名を意味する複数の音声データを記録する記録手段と、音楽再生時に前記操作入力部が操作された場合、当該操作入力部に対して割り当てられた音声データを前記記録手段から呼び出すとともに、その呼び出した音声データを再生音楽にミキシングして操作ガイダンスとして出力する音声データ出力手段と、出力された操作ガイダンスの内容が実行されたか途中でキャンセルされたかの履歴を記録する履歴記録手段とを備え、前記音声データ出力手段から前記操作ガイダンスが出力された後、前記操作入力部がもう一度操作されたときに実際の操作を実行する一方、前記履歴記録手段の記録に基づいてキャンセル率が所定値以下と判断したときは、前記操作入力部への最初の操作で操作ガイダンスの出力を中止して実際の操作を実行することを特徴としている。
【０００８】
上記構成によれば、音楽再生時に操作入力部を操作することにより、その操作入力部に対して割り当てられた音声データが操作ガイダンスとして出力される。これにより、ユーザは音楽リスニング中の雰囲気を壊すことなくボタン操作を行うことができ、特にカメラ本体を鞄の中や服のポケットの中に入れたままでのボタン操作が可能となる。
さらに、ユーザは一旦操作ガイダンスを聞いてから、実際の操作に移るので、無駄な操作を排除することもできる。また、ユーザが認識した操作ガイダンスの出力が省略されるので、ユーザは不快感を受けることがない。
【００１０】
請求項２に記載の発明は、請求項１において、前記操作ガイダンスが出力された後、所定時間内に前記操作入力部がもう一度操作されないときは、出力された操作ガイダンスの内容がキャンセルされたと判断することを特徴としている。
【００１１】
請求項３に記載の発明は、請求項１において、前記操作入力部が操作された後にその操作をキャンセルさせるキャンセル部材をさらに有し、前記操作入力部が操作された後、所定時間内に前記キャンセル部材が操作されたときには前記キャンセル率を判断し、該キャンセル率が所定値以上と判断したときは操作ガイダンスの出力を実行する動作モードに変更することを特徴としている。
【００１２】
請求項４に記載の発明は、請求項１において、記録手段は、カメラ本体に内蔵のメモリおよびカメラ本体から着脱自在なメモリカードの少なくとも１つであることを特徴としている。カメラ本体に内蔵のメモリとして不揮発性メモリを用い、この不揮発性メモリに音声データを記録しておくようにすれば、カメラ本体には音声データが必ず存在することになり、操作入力部を操作したときには操作ガイダンスが必ず出力される。また、メモリカードは着脱自在であるから、異なった種類の音声データが記録されたメモリカードをカメラ本体に装着することにより、様々な種類の音声データを出力することが可能となる。
【００１３】
請求項５に記載の発明は、請求項１又は４において、記録手段に記録された音声データは書き換え可能であることを特徴としている。このようにすれば、ユーザの嗜好に合った音声データを出力することが可能となる。
【００１４】
【発明の実施の形態】
以下、本発明の実施の形態を図面に従って説明する。
【００１５】
図１は、本実施の形態による音楽再生機能付きデジタルカメラの概略構成を示したブロック図である。本デジタルカメラ１は、システム制御部１０、撮像部２０、画像処理部３０、記録メディア４０、音声入出力部５０、音声処理部６０、表示制御部７０、液晶表示部８０、および操作入力部９０を備え、これらの各部はバス１００を介して接続されている。
【００１６】
システム制御部１０は、ＣＰＵ１１、揮発性メモリ１２、不揮発性メモリ１３、タイマ１４等からなり、デジタルカメラ１全体の制御を行う。
【００１７】
撮像部２０は、レンズ２１、レンズ駆動モータ２２、ＣＣＤ２３、ＣＣＤ駆動回路２４、Ａ／Ｄ変換器２４等からなり、撮影の際に機能する。
【００１８】
画像処理部３０は、画像処理コントローラ３１、メモリ３２等からなり、撮像部２０で得られた画像信号に種々の画像処理を施すとともに、撮像部２０のＣＣＤ駆動回路２４を制御してのＣＤ駆動タイミング、レンズ駆動モータ２２を制御してのフォーカシング、倍率機能、露出調整等を実行し、また画像の圧縮・伸長を行う。
【００１９】
記録メディア４０は、フラッシュメモリ（メモリカード）４１等からなり、圧縮された画像信号や音声信号など音・画像に関する種々の情報が記録される。フラッシュメモリ４１に記録された音・画像のデータは書き換え可能である。なお、記録メディア４０は、デジタルカメラ１に着脱自在に設けられている。
【００２０】
音声入出力部５０は、音声を入力するマイクロフォン５１、音声を出力するヘッドフォン５２またはスピーカ５３からなっている。
【００２１】
音声処理部６０は、音声処理回路６１、Ａ／Ｄ変換器６２、Ｄ／Ａ変換器６３、フィルタ６４，６５等からなり、マイクロフォン５１から入力した音声を圧縮するとともに、記録メディア４０に記憶されている音声データを伸長する。
【００２２】
表示制御部７０は、オンスクリーンディスプレイコントローラ７１、Ｄ／Ａ変換器７２等からなり、画像処理部３０で処理された画像信号を液晶表示部８０へ表示するための信号処理を行い、また、ユーザインターフェイスのための種々のグラフィック画像を生成して液晶表示部８０に表示する。
【００２３】
液晶表示部８０は画像を表示するとともに、ユーザインターフェイスのためのグラフィックを表示する。
【００２４】
操作入力部９０は、ズームボタン、シャッターボタン、モードボタン等からなっている。
【００２５】
なお、ここでは、不揮発性メモリ１３やフラッシュメモリ４１は記録手段を構成している。また、ＣＰＵ１１、音声処理部６０、ヘッドフォン５２およびスピーカ５３等は音声データ出力手段を構成している。
【００２６】
次に、図２は本実施の形態による音楽再生機能付きデジタルカメラの裏面を示している。ここでは、操作入力部９０として、シャッターボタン９１、モードボタン９２〜９４、実行ボタン９５、キャンセルボタン９６等が設けられている。なお、図２において、２は液晶表示部８０の表示をオン／オフするモニタ表示ボタン、３はメイン電源ボタン、４はファインダ接眼窓である。
【００２７】
上記デジタルカメラ１で音楽を再生する場合、スタートボタン（例えばシャッターボタン９１）を押下すると、記録メディア４０のフラッシュメモリ４１またはシステム制御部１０の不揮発性メモリ１３に記録された音楽データが呼び出され、音声処理部６０の音声処理回路６１で伸張され、さらにＤ／Ａ変換器６３でデジタル信号からアナログ信号に変換された後、音声入出力部５０のヘッドフォン５２またはスピーカ５３から出力される。
【００２８】
また、ＣＤ（コンパクトディスク）単位の音楽データのセットがフォルダに格納されていて、その音楽データの再生が指定されたときは、当該フォルダの音声データが操作ガイダンスとして自動的に出力される。
【００２９】
記録メディア４０のフラッシュメモリ４１には複数のフォルダ（ディレクトリ）が構築され、各フォルダに分けて複数の音声データが記録されている。そして、ユーザがフォルダを任意に選択することにより、選択されたフォルダ内の音声データがＣＰＵ１１によって呼び出され、音声処理回路６１で伸張されてからヘッドフォン５２またはスピーカ５３から出力される。また、システム制御部１０の不揮発性メモリ１３にも音声データは記録される。フラッシュメモリ４１や不揮発性メモリ１３内の音声データはユーザが作成可能である。例えば、パーソナルコンピュータ上で作成した音声データをＵＳＢなどの通信手段を経由して不揮発性メモリ１３に書き込むことができる。また、コンピュータのアクセス機能を利用して、音声データをフラッシュメモリ４１に書き込むことができる。
【００３０】
また、フラッシュメモリ４１や不揮発性メモリ１３には操作ガイダンス用音声データセットが格納され、再生する音楽データの種類に従って再生する音声データセットを自動的に変更する機能を有する。
（実施の形態１）
本実施の形態は、操作入力部９０のモードボタンが図２のように複数個設けられていて、モードボタン９２〜９４の各々に対して異なった音声データが割り当てられている場合の一例である。なお、モードボタンは２個又は４個以上であってもよい。
【００３１】
まず、記録メディア４０のフラッシュメモリ４１およびシステム制御部１０の不揮発性メモリ１３の少なくとも一方には、モードボタン９２〜９４に対してそれぞれ異なった音声データが記録されている。本実施の形態では、図３に示すように、音楽再生時に、例えばモードボタン９２が押下されたか否かをシステム制御部１０のＣＰＵ１１が判断し（ステップＳ１１）、Ｙｅｓであれば、押下されたモードボタン９２に対して割り当てられた音声データをフラッシュメモリ４１から呼び出す（ステップＳ１２）。そして、呼び出した音声データを音声処理部６０の音声処理回路６１に送って伸張するとともに、Ｄ／Ａ変換器６５でデジタル信号からアナログ信号に変換し、再生音楽にミキシングして操作ガイダンスとしてヘッドフォン５２またはスピーカ５３から出力する（ステップＳ１３）。
【００３２】
なお、本実施の形態において、モードボタン９３、９４が押下されたときは、モードボタン９２，９４にそれぞれ割り当てられた音声データがフラッシュメモリ４１から呼び出され、操作ガイダンスとして出力される。
【００３３】
本実施の形態によれば、モードボタン９２〜９４のいずれかを押下すると操作ガイダンスが出力されるので、各モードボタン９２〜９４に割り当てられた機能をユーザが容易に認識することができ、デジタルカメラの操作性と利便性の向上を図ることができる。
（実施の形態２）
本実施の形態は操作入力部９０への入力操作の仕方に対して、異なった音声データがそれぞれ割り当てられている場合の一例である。
【００３４】
モードボタンの一つ（例えばモードボタン９２）は１回操作したときは音量を小さくするモードに、２回連続して操作したときは音量を大きくするモードにそれぞれ設定されているとする。この場合、ユーザは音楽再生時に音量をもっと大きくしたい場合は、モードボタン９２を２回連続して押下することになる。すなわち、図４に示すように、音楽再生時にモードボタン９２が押下されたか否かを、システム制御部１０のＣＰＵ１１が判断し（ステップＳ２１）、Ｙｅｓであれば、ＣＰＵ１１はモードボタン９２が１回押下されたのか、２回連続して押下されたのかという入力操作の仕方を解析する（ステップＳ２２）。次にＣＰＵ１１は、解析結果に対して割り当てられた音声データをフラッシュメモリ４１から呼び出し（ステップＳ２３）、その音声データを音声処理部６０の音声処理回路６１に送って伸張するとともに、Ｄ／Ａ変換器６５でデジタル信号からアナログ信号に変換し、再生音楽にミキシングして操作ガイダンスとしてヘッドフォン５２またはスピーカ５３から出力する（ステップＳ２４）。
【００３５】
本実施の形態によれば、音量を大きくしたり小さくしたりするモード切替を一つのボタン行うことができるので、ユーザが覚えるべき事項が軽減され、デジタルカメラの操作性と利便性の向上を図ることができる。
【００３６】
なお、モードボタンを押下し続けている時間を変えることにより、モード切替を行うこともできる。例えば、モードボタンを２秒間連続して押下したときは音量を小さくするモードに、４秒間連続して押下したときは音量を大きくするモードにそれぞれ設定する構成することもできる。
（実施の形態３）
次に、図５は実施の形態３を示したフローチャートである。ここで、ステップＳ３１〜Ｓ３３は実施の形態１におけるステップＳ１１〜Ｓ１３と同じである。本実施の形態では、ステップＳ３３において、操作ガイダンスが出力されてから、モードボタン９２がもう一度押下された否かを判断し（ステップＳ３４）、ＮｏであればステップＳ３１に戻されるが、Ｙｅｓであれば操作ガイダンスの内容が実際に実行される（ステップＳ３５）。例えば、モードボタン９２が音量を大きくする機能に設定されていれば、モードボタン９２を一回押下したときは、「音量を大きくする」旨の音声データが操作ガイダンスとして出力され、その後、モードボタン９２をもう一度押下したときに実際に音量が大きくなる。
【００３７】
本実施の形態によれば、ユーザは一旦操作ガイダンスを聞いてから、実際の操作に移るので、無駄な操作が排除され、デジタルカメラの操作性と利便性の向上を図ることができる。
（実施の形態４）
図６は、本実施の形態４を示したフローチャートである。ここで、ステップＳ４１〜Ｓ４５は実施の形態３におけるステップＳ３１〜Ｓ３５と同じである。本実施の形態では、モードボタン９２がもう一度押下され、ステップＳ４５において操作ガイダンスの内容が実際に実行されているとき、それが最後まで実行されたか、または途中でキャンセルされたかの履歴をフラッシュメモリ４１等に記録しておく。そしてＣＰＵ１１は、フラッシュメモリ４１内の記録内容に基づいてキャンセル率が所定値以下になったか否かを判断し（ステップＳ４６）、ＮｏであればステップＳ４１に戻るが、Ｙｅｓであれば、モードボタンに割り付けてある機能をユーザが認識したものと断定し、次回の操作からは操作ガイダンスの出力を中止して、操作ガイダンスの内容を直接実行する（ステップＳ４７）。
【００３８】
本実施の形態によれば、ユーザが認識した操作ガイダンスの出力が省略されるので、ユーザは不快感を受けることがない。
（実施の形態５）
本実施の形態は、実施の形態３において、モードボタンが一度押下されてから、もう一度押下されるまでの時間が所定時間内に入っているか否かを判断する機能を有する場合の一例で、そのフローチャートを図７に示す。
【００３９】
ここで、ステップＳ５１〜Ｓ５３は実施の形態３におけるステップＳ３１〜Ｓ３３と同じである。本実施の形態では、ステップＳ５１でモードボタン９２が押下されてから所定時間内に、モードボタン９２がもう一度押下されたか否かを判断する（ステップＳ５４）。判断の結果、ＮｏであればステップＳ５１に戻るが、Ｙｅｓであれば、操作ガイダンスの内容が実際に実行される（ステップＳ５５）。
【００４０】
本実施の形態によれば、操作ガイダンスの内容を実行するには、ユーザは所定期間内にモードボタンをもう一度押下する必要があり、これにより、より対話性に優れたデジタルカメラを実現できる。
（実施の形態６）
図８は、本実施の形態６を示したフローチャートである。ここで、ステップＳ６１〜Ｓ６４は実施の形態３におけるステップＳ３１〜Ｓ３３と同じである。本実施の形態では、ステップＳ６１でモードボタン９２が押下されてから所定時間内に、モードボタン９２がもう一度押下されなかったか否かを判断する（ステップＳ６４）。判断の結果、ＹｅｓであればステップＳ６１に戻り、ステップＳ６１におけるモードボタン押下の最初の操作がキャンセルされる。Ｎｏであれば、操作ガイダンスの内容が実際に実行される（ステップＳ６５）。
【００４１】
本実施の形態によれば、所定期間内にモードボタンをもう一度押下しなければ、最初に行ったモードボタン押下の操作が自動的にキャンセルされ、これにより、デジタルカメラの操作性と利便性の向上を図ることができる。
（実施の形態７）
図２に示した実行ボタン９５は、モードボタン９２〜９４に設定された機能を実行するものである。例えばモードボタン９２が音量を大きくする機能に設定されている場合、モードボタン９２を押下してから実行ボタン９５を押下すると、音量を大きくすることができる。
【００４２】
図９は、本実施の形態７を示したフローチャートである。ここで、ステップＳ７１〜Ｓ７３は実施の形態３におけるステップＳ３１〜Ｓ３３と同じである。本実施の形態では、ステップＳ７３において操作ガイダンスが出力され、その後、実行ボタン９５が押下されたとき（ステップＳ７４）、その実行ボタン９５を押下した時間が、ステップＳ７１でモードボタン９２を押下してからの所定時間内であったか否かを判断する（ステップＳ７５）。そして、ＮｏであればステップＳ７１に戻るが、Ｙｅｓであれば操作ガイダンスの内容が実際に実行される（ステップＳ７６）。
【００４３】
本実施の形態によれば、モードボタンが押下されてから所定期間内に実行ボタンが押下されたときだけ、操作ガイダンスの内容が実行されるので、デジタルカメラの操作性と利便性の向上を図ることができる。
（実施の形態８）
図２に示したキャンセルボタン９６はキャンセル機能を有し、モードボタン９２〜９４のいずれかを一旦押下して操作ガイダンスが出力されても、キャンセルボタン９６を押下することにより、モードボタン押下の操作はキャンセルされる。例えばモードボタン９２が音量を大きくする機能に設定されている場合、モードボタン９２を一旦押下しても、キャンセルボタン９６を押下すれば、モードボタン９２を押下していない状態に戻すことができる。
【００４４】
図１０は、本実施の形態８を示したフローチャートである。ここで、ステップＳ８１〜Ｓ８３は実施の形態３におけるステップＳ３１〜Ｓ３３と同じである。本実施の形態では、ステップＳ８３において操作ガイダンスが出力され、その後、キャンセルボタン９６が押下されたとき（ステップＳ８４）、そのキャンセルボタンを押下した時間が、ステップＳ８１でモードボタン９２を押下してからの所定時間内であったか否かを判断する（ステップＳ８５）。そして、ＹｅｓであればステップＳ８１に戻り、ステップＳ８１におけるモードボタン押下の最初の操作がキャンセルされる。Ｎｏであれば、ステップＳ８３で出力された操作ガイダンスの内容が実際に実行される（ステップＳ８６）。
【００４５】
本実施の形態によれば、所定期間内にキャンセルボタンを押下すれば、最初に行ったモードボタン押下の操作が自動的にキャンセルされ、これにより、デジタルカメラの操作性と利便性の向上を図ることができる。
（実施の形態９）
本発明のデジタルカメラは、直接モードで操作後、操作のキャンセル・実行の履歴を記録する手段と、記録した履歴を解析する手段とを有している。
【００４６】
図１１は、本実施の形態９を示したフローチャートである。本実施の形態では、例えばモードボタン９２を押下したときに、モードボタン９２に予め割り当てられた機能が、操作ガイダンスを出力することなく実行される、いわゆる直接実行モード（実施の形態４参照）に設定されている場合についての一例である。この場合、モードボタン９２が押下されたか否かをシステム制御部１０のＣＰＵ１１が判断し（ステップＳ９１）、Ｙｅｓであれば、モードボタン９２に割り当てられた機能が自動的に実行される。このとき、キャンセルボタン９６が押下された場合は、モードボタン９２押下の操作がキャンセルされる（ステップＳ９２）。次に、モードボタン９２を押下してからキャンセルボタン９６を押下するまでの時間を測定し、その時間が所定時間内と判断した場合は、キャンセル率を分析・解析し、そのキャンセル率が所定値以上になったか否かを判断する（ステップＳ９３）。そして、ＮｏであればステップＳ９１に戻され、Ｙｅｓであれば、モードボタンに割り当てられている機能をユーザが十分に認識していないと判断して、直接実行モードから操作ガイダンスを出力する動作モードに変更する（ステップＳ９４）。
【００４７】
本実施の形態によれば、キャンセル率が所定値以上になると、直接実行モードから操作ガイダンスを出力する動作モードに自動的に変更されるので、デジタルカメラの操作性と利便性の向上を図ることができる。
（実施の形態１０）
図１２は、本実施の形態１０を示したフローチャートである。本実施の形態では、操作ガイダンスが順番に出力されている間にモードボタン９２〜９４のいずれかが押下されたとき、その押下時に出力されていたガイダンス内容が実行される機能を備えたものである。
【００４８】
モードボタン９２が押下されたか否かをシステム制御部１０のＣＰＵ１１が判断し（ステップＳ１０１）、Ｙｅｓであれば、ＣＰＵ１１は、フラッシュメモリ４１から複数の音声データを呼び出し、音声処理回路６１で伸張した後、ヘッドフォン５２またはスピーカ５３から操作ガイダンスとして順番に出力する（ステップＳ１０２）。次に、ユーザは出力される操作ガイダンスを聴いて、自分が意図する操作に該当する操作ガイダンスが出力されたら、それにタイミングを合わせてモードボタン９２〜９４のどれかを押下する。ＣＰＵ１１はユーザがボタン押下したかを判断し（ステップＳ１０３）、Ｙｅｓならば、ユーザが意図するガイダンス内容を実行する（ステップＳ１０４）。
【００４９】
本実施の形態によれば、最初にモードボタンを押下すると複数の操作ガイダンスが順番に出力されるので、ユーザはその操作ガイダンスの中から自分が意図する操作ガイダンスを選択すればよいから、デジタルカメラの操作性と利便性の向上を図ることができる。
【００５０】
【発明の効果】
請求項１の発明によれば、音楽再生時に操作入力部をわざわざ目視しなくても手探りで操作するだけで、その操作入力部に割り当てられた音声データが操作ガイダンスとして出力される。その結果、ユーザは音楽リスニング中の雰囲気を壊すことがなく、操作性および利便性に優れたデジタルカメラを実現できる。
さらに、ユーザは一旦操作ガイダンスを聞いてから、実際の操作に移るので、無駄な操作を排除することもできる。また、ユーザが認識した操作ガイダンスの出力が省略されるので、ユーザは不快感を受けることがない。
【００５２】
請求項２の発明によれば、対話性に優れたデジタルカメラを実現できる。
【００５３】
請求項３の発明によれば、デジタルカメラの操作性と利便性をより向上させることができる。
【００５４】
請求項４の発明によれば、音声データが必ず存在することになり、操作入力部を操作したときには操作ガイダンスが必ず出力される。
【００５５】
請求項５の発明によれば、ユーザの嗜好に合った音声データを出力することが可能となる。
【図面の簡単な説明】
【図１】本発明の音楽再生機能付きデジタルカメラの電気的構成を示したブロック図である。
【図２】本発明の音楽再生機能付きデジタルカメラの背面図である。
【図３】本発明の実施の形態１を示したフローチャートである。
【図４】本発明の実施の形態２を示したフローチャートである。
【図５】本発明の実施の形態３を示したフローチャートである。
【図６】本発明の実施の形態４を示したフローチャートである。
【図７】本発明の実施の形態５を示したフローチャートである。
【図８】本発明の実施の形態６を示したフローチャートである。
【図９】本発明の実施の形態７を示したフローチャートである。
【図１０】本発明の実施の形態８を示したフローチャートである。
【図１１】本発明の実施の形態９を示したフローチャートである。
【図１２】本発明の実施の形態１０を示したフローチャートである。
【符号の説明】
１  デジタルカメラ
１０  システム制御部
１１  ＣＰＵ
１３  不揮発性メモリ
２０  撮像部
３０  画像処理部
４０  記録メディア
４１  フラッシュメモリ
５０  音声入出力部
５２  ヘッドフォン
５３  スピーカ
６０  音声処理部
６１  音声処理回路
６３  Ｄ／Ａ変換器
７０  表示制御部
８０  液晶表示部
９０  操作入力部
９２〜９４  モードボタン
９５  実行ボタン
９６  キャンセルボタン
【図１】
0004298942.tif 000002
【図２】
0004298942.tif 000003
【図３】
0004298942.tif 000004
【図４】
0004298942.tif 000005
【図５】
0004298942.tif 000006
【図６】
0004298942.tif 000007
【図７】
0004298942.tif 000008
【図８】
0004298942.tif 000009
【図９】
0004298942.tif 000010
【図１０】
0004298942.tif 000011
【図１１】
0004298942.tif 000012
【図１２】
0004298942.tif 000013